【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
一群のレンズと、
上記レンズを通して結像される撮像素子と、を有し、
上記レンズは、物体側から像面側に向かって、空気を挟まず順番に配置された、
物体側面が物体側に凸形状をした第１レンズと、
透明体と、
第２レンズと、を含み、
上記撮像素子は、物体側に凹を向けて湾曲している
撮像装置。
【請求項２】
上記透明体が、ガラス板もしくはプラスチックに類する板により形成される
請求項１記載の撮像装置。
【請求項３】
絞りがレンズ群の中に配置されている
請求項１または２記載の撮像装置。
【請求項４】
赤外線カットフィルタがレンズ群の中に配置されている
請求項１から３のいずれか一に記載の撮像装置。
【請求項５】
上記第１レンズが、
物体側から順に配置された第１レンズエレメントと第２レンズエレメントのダブレット構造を有する
請求項１から４のいずれか一に記載の撮像装置。
【請求項６】
上記第１レンズエレメントが両凸レンズにより形成されている
請求項５記載の撮像装置。
【請求項７】
上記第１レンズが、
物体側から順に配置された第１レンズエレメントと第２レンズエレメントと第３レンズエレメントのトリプレット構造を有する
請求項１から４のいずれか一に記載の撮像装置。
【請求項８】
上記第２レンズエレメントのアッベ数が、上記第１レンズエレメントと上記第３レンズエレメントより小さい
請求項７記載の撮像装置。
【請求項９】
上記第２レンズが少なくとも第４レンズエレメントと第５レンズエレメントのダブレット構造を有する
請求項１から８のいずれか一に記載の撮像装置。
【請求項１０】
少なくとも１つのレンズエレメントが紫外線硬化樹脂により形成されている
請求項５から９のいずれか一に記載の撮像装置。
【請求項１１】
上記第１レンズの焦点距離ｆＬ１と上記第２レンズの焦点距離ｆＬ２が、レンズ系の焦点距離をｆとして下記の条件式を満足する
請求項１から１０のいずれか一に記載の撮像装置。
１．０  ≦  ｆＬ１／ｆ  ≦  １００．０
１．５  ≦  ｆＬ２／ｆ  または  ｆＬ２  ≦  −３．０
【請求項１２】
上記撮像素子の像面の曲率半径Ｒｉが、レンズ系の焦点距離をｆとして下記の条件式を満足する
請求項１から１１のいずれか一に記載の撮像装置。
−５  ≦  Ｒｉ／ｆ  ≦  −０．６
【請求項１３】
正の光学歪を有するレンズ群と、
上記レンズ群を通して結像される撮像素子と、を含み、
上記撮像素子が物体側に凹を向けて湾曲しており、当該湾曲より生じる負の光学歪を、上記レンズ群の正の光学歪により打ち消す
撮像装置。
【請求項１４】
２群のレンズと、
上記レンズを通して結像される撮像素子と、を有し、
上記レンズは、物体側から像面側に向かって順番に配置された、
第１レンズ群と、
空気を挟まず順番に配置された、物体側面が物体側に凸形状をした第１レンズと、透明体と、第２レンズとを含む第２レンズ群と、を含む
撮像装置。
【請求項１５】
上記第２レンズ群が、物体側から像面側に向かって、空気を挟まずに順番に配置された、
第１レプリカレンズと、
ガラス基板と、
第２レプリカレンズと、を含む
請求項１４記載の撮像装置。
【請求項１６】
上記第１レンズ群が、ガラスモールド、またはプラスチック、またはキャスティング方式のレンズにより形成されている
請求項１４または１５記載の撮像装置。
【請求項１７】
上記第１レンズ群が、球面のガラスレンズにレプリカレンズを施したレンズにより形成されている
請求項１４または１５記載の撮像装置。
【請求項１８】
上記第１レンズ群が、ガラス板にレプリカレンズを施したレンズにより形成されている
請求項１４または１５記載の撮像装置。
【請求項１９】
上記第１レンズ群の焦点距離ｆＧ１と上記第２レンズ群の焦点距離ｆＧ２が、レンズ系の焦点距離をｆとして下記の条件式を満足する
請求項１４から１８のいずれか一に記載の撮像装置。
−１０  ≦  ｆＧ１／ｆ  ≦  −１．０
０．９  ≦  ｆＧ２／ｆ  ≦    ５．０
【請求項２０】
上記撮像素子の像面の曲率半径Ｒｉが、レンズ系の焦点距離をｆとして下記の条件式を満足する
請求項１４から１９のいずれか一に記載の撮像装置。
−４０  ≦  Ｒｉ／ｆ  ≦  −０．６
【請求項２１】
レンズ群が、
正の光学ディストーションを有し、撮像素子湾曲によって生じる負の光学ディストーションを補正する
請求項１から２０のいずれか一に記載の撮像装置。
【請求項２２】
上記レンズ群の光学ディストーションが正の４％以上である
請求項１から２１のいずれか一に記載の撮像装置。
【請求項２３】
上記撮像素子の出力信号に応じた信号処理時にディストーション補正が行われる
請求項１から２２のいずれか一に記載の撮像装置。
【請求項２４】
撮像装置と、
上記撮像装置の出力信号に対して信号処理を行う信号処理回路と、を有し、
上記撮像装置は、
一群のレンズと、
上記レンズを通して結像される撮像素子と、を有し、
上記レンズは、物体側から像面側に向かって、空気を挟まず順番に配置された、
物体側面が物体側に凸形状をした第１レンズと、
透明体と、
第２レンズと、を含み、
上記撮像素子は、物体側に凹を向けて湾曲している
電子機器。
【請求項２５】
撮像装置と、
上記撮像装置の出力信号に対して信号処理を行う信号処理回路と、を有し、
上記撮像装置は、
正の光学歪を有するレンズ群と、
上記レンズ群を通して結像される撮像素子と、を含み、
上記撮像素子が物体側に凹を向けて湾曲しており、当該湾曲より生じる負の光学歪を、上記レンズ群の正の光学歪により打ち消す
電子機器。
【手続補正２】
【補正対象書類名】明細書
【補正対象項目名】０１８７
【補正方法】変更
【補正の内容】
【０１８７】
なお、本技術は以下のような構成もとることができる。
（１）一群のレンズと、
上記レンズを通して結像される撮像素子と、を有し、
上記レンズは、物体側から像面側に向かって、空気を挟まず順番に配置された、
物体側面が物体側に凸形状をした第１レンズと、
透明体と、
第２レンズと、を含み、
上記撮像素子は、物体側に凹を向けて湾曲している
撮像装置。
（２）上記透明体が、ガラス板もしくはプラスチックに類する板により形成される
上記（１）記載の撮像装置。
（３）絞りがレンズ群の中に配置されている
上記（１）または（２）記載の撮像装置。
（４）赤外線カットフィルタがレンズ群の中に配置されている
上記（１）から（３）のいずれか一に記載の撮像装置。
（５）上記第１レンズが、
物体側から順に配置された第１レンズエレメントと第２レンズエレメントのダブレット構造を有する
上記（１）から（４）のいずれか一に記載の撮像装置。
（６）上記第１レンズエレメントが両凸レンズにより形成されている
上記（５）記載の撮像装置。
（７）上記第１レンズが、
物体側から順に配置された第１レンズエレメントと第２レンズエレメントと第３レンズエレメントのトリプレット構造を有する
上記（１）から（４）のいずれか一に記載の撮像装置。
（８）上記第２レンズエレメントのアッベ数が、上記第１レンズエレメントと上記第３レンズエレメントより小さい
上記（７）記載の撮像装置。
（９）上記第２レンズが少なくとも第４レンズエレメントと第５レンズエレメントのダブレット構造を有する
上記（１）から（８）のいずれか一に記載の撮像装置。
（１０）少なくとも１つのレンズエレメントが紫外線硬化樹脂により形成されている
上記（５）から（９）のいずれか一に記載の撮像装置。
（１１）上記第１レンズの焦点距離ｆＬ１と上記第２レンズの焦点距離ｆＬ２が、レンズ系の焦点距離をｆとして下記の条件式を満足する
上記（１）から（１０）のいずれか一に記載の撮像装置。
１．０  ≦  ｆＬ１／ｆ  ≦  １００．０
１．５  ≦  ｆＬ２／ｆ  または  ｆＬ２  ≦  −３．０
（１２）上記撮像素子の像面の曲率半径Ｒｉが、レンズ系の焦点距離をｆとして下記の条件式を満足する
上記（１）から（１１）のいずれか一に記載の撮像装置。
−５  ≦  Ｒｉ／ｆ  ≦  −０．６
（１３）正の光学歪を有するレンズ群と、
上記レンズ群を通して結像される撮像素子と、を含み、
上記撮像素子が物体側に凹を向けて湾曲しており、当該湾曲より生じる負の光学歪を、上記レンズ群の正の光学歪により打ち消す
撮像装置。
（１４）２群のレンズと、
上記レンズを通して結像される撮像素子と、を有し、
上記レンズは、物体側から像面側に向かって順番に配置された、
第１レンズ群と、
空気を挟まず順番に配置された、物体側面が物体側に凸形状をした第１レンズと、透明体と、第２レンズとを含む第２レンズ群と、を含む
撮像装置。
（１５）上記第２レンズ群が、物体側から像面側に向かって、空気を挟まずに順番に配置された、
第１レプリカレンズと、
ガラス基板と、
第２レプリカレンズと、を含む
上記（１４）記載の撮像装置。
（１６）上記第１レンズ群が、ガラスモールド、またはプラスチック、またはキャスティング方式のレンズにより形成されている
上記（１４）または（１５）記載の撮像装置。
（１７）上記第１レンズ群が、球面のガラスレンズにレプリカレンズを施したレンズにより形成されている
上記（１４）または（１５）記載の撮像装置。
（１８）上記第１レンズ群が、ガラス板にレプリカレンズを施したレンズにより形成されている
上記（１４）または（１５）記載の撮像装置。
（１９）上記第１レンズ群の焦点距離ｆＧ１と上記第２レンズ群の焦点距離ｆＧ２が、レンズ系の焦点距離をｆとして下記の条件式を満足する
上記（１３）から（１８）のいずれか一に記載の撮像装置。
−１０  ≦  ｆＧ１／ｆ  ≦  −１．０
０．９  ≦  ｆＧ２／ｆ  ≦    ５．０
（２０）上記撮像素子の像面の曲率半径Ｒｉが、レンズ系の焦点距離をｆとして下記の条件式を満足する
上記（１３）から（１９）のいずれか一に記載の撮像装置。
−４０  ≦  Ｒｉ／ｆ  ≦  −０．６
（２１）レンズ群が、
正の光学ディストーションを有し、撮像素子湾曲によって生じる負の光学ディストーションを補正する
上記（１）から（２０）のいずれか一に記載の撮像装置。
（２２）上記レンズ群の光学ディストーションが正の４％以上である
上記（１）から（２１）のいずれか一に記載の撮像装置。
（２３）上記撮像素子の出力信号に応じた信号処理時にディストーション補正が行われる
上記（１）から（２２）のいずれか一に記載の撮像装置。
（２４）撮像装置と、
上記撮像装置の出力信号に対して信号処理を行う信号処理回路と、を有し、
上記撮像装置は、
一群のレンズと、
上記レンズを通して結像される撮像素子と、を有し、
上記レンズは、物体側から像面側に向かって、空気を挟まず順番に配置された、
物体側面が物体側に凸形状をした第１レンズと、
透明体と、
第２レンズと、を含み、
上記撮像素子は、物体側に凹を向けて湾曲している
電子機器。
（２５）撮像装置と、
上記撮像装置の出力信号に対して信号処理を行う信号処理回路と、を有し、
上記撮像装置は、
正の光学歪を有するレンズ群と、
上記レンズ群を通して結像される撮像素子と、を含み、
上記撮像素子が物体側に凹を向けて湾曲しており、当該湾曲より生じる負の光学歪を、上記レンズ群の正の光学歪により打ち消す
電子機器。